(57)【要約】  本発明は分離型コードの一端に形成された雄コネクターと本体に設けられた雌コネクターが負荷状態において接続解除する度にアークが発生して損傷を起こすことを防止するためのコード分離型ヘアドライヤーのアーク防止装置であって、  前記ヘアドライヤーに電源を供給するための雄コネクター(１０)と本体(１)に設けられた雌コネクター(２０)が負荷状態において接続解除する度にアークが発生して損傷を起こすことを防止するためにパワー接触部(２)にはオン/オフスィッチ(３)によって雌、雄コネクター(１０、２０)をはっきりと固定または解除することができるアーク防止装置(１００)が設けられて、前記アーク防止装置(１００)は本体(１)のパワー接触部(２)に設けられた雌コネクター(２０)の一側に形成されて第１の弾性体(１０１)によって弾性力のあるように入出没するストッパー(１０２)；及びこれと対応する側に設ける回動軸(Ｐ)に挿入されてスィッチ(３)の下降によって第２の弾性体(１２０)及び案内溝(１２１)に沿って一定の半径に回動するロッド(１３０)；及び前記ロッド(１３０)の一端に設けられた掛り突起(１３１)及びストッパー(１０２)に結合する第１及び第２の掛り溝(２０１、２０２)を有する雄コネクター(１０)からなる。代表図  図２
2012504308.tif 000002
【特許請求の範囲】
【請求項１】
ヘアドライヤーに電源を供給するための雄コネクターと本体に設けられた雌コネクターが負荷状態において接続解除する度にアークが発生して損傷を起こすことを防止するためにパワー接触部にはオン/オフスィッチによって雌、雄コネクターをはっきりと固定または解除することができるアーク防止装置が設けられたことを特徴とするコード分離型ヘアドライヤーのアーク防止装置。
【請求項２】
請求項１において、
前記アーク防止装置は本体のパワー接触部に設けた雌コネクターの一側に形成されて第１の弾性体によって弾性力のあるように入出没するストッパー；及び
これと対応する側に設ける回動軸に挿入されてスィッチの下降によって第２の弾性体及び案内溝に沿って一定の半径に回動するロッド；及び
前記ロッドの一端に設けられた掛り突起及びストッパーに結合する第１及び第２の掛り溝を有する雄コネクター；
と構成されたことを特徴とするコード分離型ヘアドライヤーのアーク防止装置。
【請求項３】
請求項１において、
前記アーク防止装置は一側に前記雄コネクターの挿入によって弾性的に隔たってから元の状態で復帰する弾性片及び該弾性片の内側に形成される掛り突起が形成されて、他側の一側に開口形成された開口部を有する雌コネクターハウジング；及び
一端が前記開口部に挿入及び解除されて回動軸を地点にしてオン/オフスィッチの下降によって第２の弾性体の弾性力に対抗して一定の半径に回動するロッド；
と構成されたことを特徴とするコード分離型ヘアドライヤーのアーク防止装置。
【請求項４】
請求項３において、
前記ロッドはＬ字状からなり、前記ロッドの一端に形成された掛り突起の下端部をラウンディング処理して雄コネクターを挿入する時、自然に後ろに押された後締結して、オン/オフスィッチが“オン”になった場合には使用中雄コネクターが抜けないで、必ずオン/オフスィッチを“オフ”状態に変更する場合にだけ雄コネクターを分離することができるようにしたことを特徴とするコード分離型ヘアドライヤーのアーク防止装置。
【発明の詳細な説明】
【技術分野】
【０００１】
本発明は、コード分離型ヘアドライヤーのアーク防止装置に関するものである。
具体的に、本発明は分離型プラグの一端に形成された雄コネクターと本体に設けられた雌コネクターが負荷状態において接続解除する度にアークが発生して、機器及び人体に損傷を起こすことを防止するためのコード分離型ヘアドライヤーのアーク防止装置に関するものである。
【背景技術】
【０００２】
一般的に、各種電子製品のうち、特にヘアドライヤーのように電力の消耗が多い製品において本体とコネクター型コードが別に備えられている場合、雄コネクターと本体の雌コネクターとを結合する瞬間に電源回路に電源が認可されるから初期の突入電流が直ちに発生する電源コネクターと本体に設けられたコネクターの接点部位でアークが発生する問題点があった。
【０００３】
すなわち、負荷電流、供給電圧、分離速度、負荷の特性(抵抗性、誘導性、用量性)、及び多数の要因に依存する。
【０００４】
たとえ、定格電流の場合にも、定格電流がよくまたは充分に徐々に中断される場合にも、負荷状態においてコネクターが接続解除する度にアークが発生して機器及び人体に損傷を起こすことができる。
【０００５】
ここに本発明は前記のような欠点を解決するために案出するものであって、本発明の目的は簡単な構成に沿い電力の消耗が多い家電製品、特にアーク発生の要旨が多い機器に適用することによって、アークの発生を防止することができるコード分離型ヘアドライヤーのアーク防止装置を開発することになった。
【発明の概要】
【発明が解決しようとする課題】
【０００６】
上述した本発明の目的を達成するために、本発明は分離型コードの一端に形成された雄コネクターと製品の本体に設けられた雌コネクターが負荷状態において接続解除する度にアークが発生して損傷を起こすことを防止するためにパワー接触部に雌雄コネクターをはっきりと固定または解除することができるアーク防止装置を設けられるようにしたコード分離型ヘアドライヤーのアーク防止装置を提供することにある。
【０００７】
本発明の他の目的は、簡単な構造で製作単価を低減させることができるだけでなく、パワー接触部が相当する電力や電流を送っている途中接続解除または分離される時発生するアークを防止するようにすることにある。
【０００８】
本発明のまた他の目的は、ユーザーが間違って電源が“オン”になっている状態ではプラグが挟まれなく、また挟まれた状態においてヘアドライヤーを引きつける時は抜けないようにすることで、急な電圧上昇でアークが発生することを防止することにある。
【０００９】
本発明の前記目的及びその他の目的は下記の説明のとおり本発明に従ってすべて達成することができる。
【課題を解決するための手段】
【００１０】
本発明の分離型プラグを用いるヘアドライヤーにおいて、
前記ヘアドライヤーヘ電源を供給するための雄コネクター(１０)と本体(１)に設けられた雌コネクター(２０)が負荷状態において接続解除する度にアークが発生して損傷を起こすことを防止するためにパワー接触部(２)にオン/オフスィッチ(３)によって雌、雄コネクター(１０、２０)をはっきりと固定または解除することができるアーク防止装置(１００)が設けられたことを特徴とする。
【００１１】
前記アーク防止装置(１００)は本体(１)のパワー接触部(２)に設けられた雌コネクター(２０)の一側に形成されて第１の弾性体(１０１)によって弾性力のあるように入出没するストッパー(１０２)；及び
これと対応する側に設ける回動軸(Ｐ)に挿入されてスィッチ(３)の下降によって第２の弾性体(１２０)及び案内溝(１２１)に沿って一定の半径に回動するロッド(１３０)；及び
前記ロッド(１３０)の一端に設けられた掛り突起(１３１)及びストッパー(１０２)に結合する第１及び第２の掛り溝(２０１、２０２)を有する雄コネクター(１０)；  
と構成されたことを特徴とする。
【００１２】
また、前記アーク防止装置(１００)は一側に前記雄コネクター(１０)の挿入によって弾性的に隔たってから原状復帰する弾性片及び該弾性片の内側に形成する掛り突起(１１１) が形成されて、他側の一側に開口形成された開口部(１１２)を有する雌コネクターハウジング(１１０)；及び  
一端が前記開口部(１１２)に挿入及び解除されて回動軸(Ｐ)を地点にしてオン/オフスィッチ(３)の下降によって第２の弾性体(１２０)の弾性力に対抗して一定の半径に回動するロッド(１３０)；
と構成されたことを特徴とする。
【発明の効果】
【００１３】
本発明によるコード分離型ヘアドライヤーのアーク防止装置は、分離型プラグの一端に形成された雄コネクターと本体に設けられた雌コネクターが負荷状態において接続解除する度にアークが発生して損傷を起こすことを防止するためにパワー接触部に雌雄コネクターをはっきりと固定または解除することができるアーク防止装置を設けるようにすることで、機器、特にパワー接触部の損傷を防止することとともに簡単な構造でユーザーの安全を確保することができるようにした。
【図面の簡単な説明】
【００１４】
【図１】図1は本発明に係るコード分離型ヘアドライヤーのアーク防止装置を示す断面図である。
【図２】図２は本発明に係るコード分離型ヘアドライヤーのアーク防止装置からプラグが分離または結合する過程を示す図面である。
【図３】図３は本発明に係るコード分離型ヘアドライヤーのアーク防止装置の他実施例を示す図面であって、使用中の状態を示す断面図である。
【図４】図４は本発明に係るコード分離型ヘアドライヤーのアーク防止装置の他実施例を示す図面であって、使用前の状態を示す断面図である。
【図５】図５は図３によるアーク防止装置を一部抜粹して示す分解斜視図面である。
【図６】図６は本発明のまた他の実施例を示す図面である。
【発明を実施するための形態】
【００１５】
図１は本発明に係るコード分離型ヘアドライヤーのアーク防止装置を示す断面図であり、図２は本発明に係るコード分離型ヘアドライヤーのアーク防止装置からプラグが分離または結合する過程を示す図面である。
【００１６】
以下、添付した図面を参照にして本発明の内容を下記のように詳しく説明する。
【００１７】
本発明は図１に示すように、分離型プラグを用いるヘアドライヤーやその他機器に電源を供給する時、パワー接触部(２)に設けられた雌コネクター(２０)が負荷状態において接続解除する度にアークが発生して損傷を起こすことを防止するために前記パワー接触部(２)に雌雄コネクターをはっきりと固定または解除することができるアーク防止装置(１００)を設けたことで、前記アーク防止装置(１００)はヘアドライヤーに電源供給をオン/オフするスィッチ(３)によって制御される。
【００１８】
前記アーク防止装置(１００)は図２に示すように、本体(１)のパワー接触部(２)に設けられた雌コネクター(２０)の一側に形成されて第１の弾性体(１０１)によって弾性力のあるように入出沒するストッパー(１０２)と、これと対応する側に設ける回動軸(Ｐ)に挿入されてスィッチ(３)の下降によって第２の弾性体(１２０)及び案内溝(１２１)に沿って一定の半径に回動するロッド(１３０)と、前記ロッド(１３０)の一端に設けられた掛り突起(１３１)及びストッパー(１０２)に結合する第１及び第２の掛り溝(２０１、２０２)を有する雄コネクター(１０)からなる。
【００１９】
前記第１の弾性体(１０１)は圧縮ばねで一端は本体(１)の内側に突出形成した突起(１０３)に固定されて、他側はストッパー(１０２)の一端に固定されて前記ストッパーの水平移動に対していつも一定に収縮膨脹する。
【００２０】
また、前記オン/オフスィッチ(３)は一端に長い押し棒(３ａ)を形成するものの、一先端が丸い突起(３ｂ)を形成して、ロッド(１３０)の一端に形成された延長部(１３２)の押さえ突起(１３２ａ)をかけて円形溝(１３２ｂ)に止めることができるように形成した。
【００２１】
この時、前記ロッド(１３０)の一端に設けられた掛り突起(１３１)は前記ロッド(１３０)に対してＬ字状で曲がるように形成して、前記掛り突起(１３１)とロッド(１３０)との交差点にガイドピン(１３３)を設けて案内溝(１２１)に沿って自然に移動することができるようにした。
【００２２】
前記案内溝(１２１)は弧形状を成しながら一側が雌コネクター(２０)側に開口されている。
【００２３】
前記第２の弾性体(１２０)は復帰ばねで一側がロッド(１３０)に固定されて他側は本体(２)の内側に支持されて前記オン/オフスィッチ(３)の作動によって回動軸(Ｐ)を地点にして回動するロッド(１３０)を元の状態で復帰させる役目をする。
【００２４】
また、前記雄コネクター(１０)の一端の両側には前記ロッド(１３０)の一端に設けられた掛り突起(１３１)及びストッパー(１０２)に結合する第１及び第２の掛り溝(２０１、２０２)が形成される。
【００２５】
前記第１の掛り溝(２０１)はストッパー(１０２)が円滑に挿入固定される位の大きさを有し、前記雄コネクター(１０)が雌コネクター(２０)に充分に挿入された後、自動的に固定される位置に形成される。
【００２６】
また、第２の掛り溝(２０２)は前記第１の掛り溝(２０１)と同じ位置線上に形成するものの、長孔からなって雄コネクターが雌コネクターに充分に挿入することができるようにすることと同時に、前記ロッド(１３０)の一端に形成された掛り突起(１３１)が回動の時に干渉を受けないようにした。
【００２７】
したがって、前記のようになるコード分離型ヘアドライヤーのアーク防止装置は、すなわち図１に示すヘアドライヤーの例を挙げて説明する。
【００２８】
前記ヘアドライヤーのオン/オフスィッチ(３)の下部にアーク防止装置(１００)が設けられている場合、図２に示すように、雄コネクター(１０)を本体(１)のパワー接触部(２)側に挿入すると、前記本体(１)内に形成されたストッパー(１０２)が第１の弾性体(１０１)の弾性力を受けつつ後退し、これと同時に雄コネクター(１０)の両側に形成された第１及び第２の掛り溝(２０１、２０２)が挿入する過程において前記第１の掛り溝(２０１)が到逹する地点で前記ストッパー(１０２)が前記第１の掛り溝(２０１)に結合するようになる。
【００２９】
この時は前記雄コネクター(１０)が雌コネクター(２０)に完全に挿入された状態である。
【００３０】
前記のような状態においてユーザーがオン/オフスィッチ(３)を“オン”するようになれば、前記オン/オフスィッチ(３)に延長形成された長い押し棒(３ａ)の丸い突起(３ｂ)がロッド(１３０)を解除するようになり、前記解除されたロッド(１３０)は第２の弾性体(１２０)の弾性力によって元の状態で復帰する過程において、前記ロッド(１３０)の一端に形成された掛り突起(１３１)がガイドピン(１３３)の案内を受けつつ案内溝(１２１)に沿って自然に前記雄コネクター(１０)の第２の掛り溝(２０２)側に移動して結合するようになる。
【００３１】
前記のように結合した状態では雌雄コネクター(１０、２０)が堅固に固定されてコネクター間のアークが発生しなくなり、またユーザーが機器を使用した以降にオン/オフスィッチ(３)を“オフ”するようになれば、前記オン/オフスィッチ(３)に延長形成された長い押し棒(３ａ)の丸い突起(３ｂ)が図２に示すように、前記ロッド(１３０)の一端に形成された延長部(１３２)の押さえ突起(１３２ａ)をかけて円形溝(１３２ｂ)に止めることと同時に、前記ロッド(１３０)は第２の弾性体(１２０)の弾性力を受けて一定の半径位回転して止めるようになる。
【００３２】
それでは、前記雄コネクター(１０)の第２の掛り溝(２０２)側に移動して結合した掛り突起(１３１)がガイドピン(１３３)の案内を受けつつ案内溝(１２１)に沿って移動するようになる。
【００３３】
前記のような状態において、ユーザーは雄コネクター(１０)を雌コネクター(２０)から分離するようになる。
【００３４】
図３及び図４は本発明に係るコード分離型ヘアドライヤーのアーク防止装置の他実施例を示す図面であって、
【００３５】
以下で、本実施例と同一な構成及び名称には同一な符号を付けて、ともにそれに対する説明は省略する。
【００３６】
本実施例におけるアーク防止装置(１００)は図４または図５に示すように、一側に前記雄コネクター(１０)の挿入によって弾性的に隔たってから原状復帰する弾性片(１１１)及び該弾性片の内側に形成される掛り突起(１１１ａ)が形成して、他側の一側に開口形成された開口部(１１２)を有する雌コネクターハウジング(１１０)；及び
【００３７】
一端が前記開口部(１１２)に挿入及び解除されて回動軸(Ｐ)を地点にしてオン/オフスィッチ(３)の下降によって第２の弾性体(１２０)の弾性力に対抗して一定の半径に回動するロッド(１３０)からなる。
【００３８】
前記ロッド(１３０)は略Ｌ字状からなり、前記ロッド(１３０)の一端には本実施例と同一な掛り突起(１３１)が一体にして形成される。
【００３９】
また、前記雌コネクターハウジング(１１０)に挿入される雄コネクター(１０)の両側には前記雌コネクターハウジング(１１０)に形成された掛り突起(１１１ａ)及びロッド(１３０)の一端に形成された掛り突起(１３１)が挿入することができる掛り溝(１１)が形成される。
【００４０】
図６は本発明のまた他の実施例を示す図面であって、Ｌ字状からなり、ロッド(１３０)の一端に形成された掛り突起(１３１)の下端部をラウンディング処理して雄コネクター(１０)を挿入する時、自然に後ろに押された後締結して、オン/オフスィッチ(３)が“オン”になった場合には使用中に雄コネクターが抜けないで、必ずオン/オフスィッチ(３)を“オフ”状態に変更する場合にだけ雄コネクターを分離することができるようにした。
【産業上の利用可能性】
【００４１】
以上の如く、本発明のコード分離型ヘアドライヤーのアーク防止装置の単純変形ないし変更は当該分野の通常の知識を有する者によって容易く利用することができるし、このような変形や変更はすべて本発明の領域に含まれるものと見ることができる。
【符号の説明】
【００４２】
１：本体
２：パワー接触部
３：オン/オフスィッチ
１０：雄コネクター
２０：雌コネクター
１００：アーク防止装置
１０１：第１の弾性片
１０２：ストッパー
１０３：突起
１１０：雌コネクターハウジング
１１１：弾性片
１１２：開口部
１２０：第２の弾性体
１２１：案内溝
１３０：ロッド
１３１：掛り突起
２０１、２０２：掛り溝
Ｐ：回動軸
【図１】
2012504308.tif 000003
【図２】
2012504308.tif 000004
【図３】
2012504308.tif 000005
2012504308.tif 000006
【図４】
2012504308.tif 000007
2012504308.tif 000008
【図５】
2012504308.tif 000009
2012504308.tif 000010
【図６】
2012504308.tif 000011
【国際調査報告】
2012504308.tif 000012
2012504308.tif 000013
2012504308.tif 000014
2012504308.tif 000015